(57)【要約】【課題】発信する可視光情報の内容の変更が短時間で容易に行えると共に、変更に要するコストを削減することができる可視光通信表示システムおよび可視光通信照明システムを提供することを課題とする。【解決手段】本発明にかかる可視光通信表示システム１は、光源が発する可視光で図形を表示すると共に可視光通信で情報を発信する表示装置２と、表示装置２で発信した情報を受信して出力する受信装置３と、所定の識別情報および可視光通信で発信するための可視光情報を表示装置２に送信する送信装置４と、で構成される。【選択図】        図１
2006050528.tif 000002
【特許請求の範囲】
【請求項１】
光源が発する可視光で図形を表示すると共に可視光通信で情報を発信する表示装置と、前記表示装置で発信した前記情報を受信して出力する受信装置とを有した可視光通信表示システムにおいて、
所定の識別情報および可視光通信で発信するための可視光情報を前記表示装置に送信する送信装置をさらに備え、
前記表示装置は、
前記送信装置で送信された前記所定の識別情報および前記可視光情報を受信する受信手段と、
前記受信手段で受信した前記所定の識別情報と予め定めた当該表示装置の識別情報とが一致するか否かを判定する判定手段と、
前記判定手段の判定結果が一致である場合、前記光源を変調して前記可視光情報を発信する変調手段と、
を備えたことを特徴とする可視光通信表示システム。
【請求項２】
前記送信装置は前記表示装置で表示する図形に関する図形情報をさらに送信し、
前記受信手段は前記図形情報をさらに受信すること、
を特徴とし、
前記表示装置は、
前記判定手段の判定結果が一致である場合、前記図形情報に対応する図形に切り替える切替手段、
をさらに備えたことを特徴とする請求項１に記載の可視光通信表示システム。
【請求項３】
前記受信装置は携帯可能であること、
を特徴とする請求項１または２に記載の可視光通信表示システム。
【請求項４】
前記受信装置は受信した情報を文字、音声、画像のうち少なくとも１つで再生する機能を有すること、
を特徴とする請求項１から３のいずれか１つに記載の可視光通信表示システム。
【請求項５】
光源が発する可視光で照明を行うと共に可視光通信で情報を発信する照明装置と、前記照明装置で発信した前記情報を受信して出力する受信装置とを有した可視光通信照明システムであって、
所定の識別情報および可視光通信で発信するための可視光情報を前記照明装置に送信する送信装置をさらに備え、
前記照明装置は、
前記送信装置で送信された前記所定の識別情報および前記可視光情報を受信する受信手段と、
前記受信手段で受信した前記所定の識別情報と予め定めた当該照明装置の識別情報とが一致するか否かを判定する判定手段と、
前記判定手段の判定結果が一致である場合、前記光源を変調して前記可視光情報を発信する変調手段と、
を備えたことを特徴とする可視光通信照明システム。
【請求項６】
前記照明装置は所定の相関色温度または色温度の前記光源を有すること、
を特徴とする請求項５に記載の可視光通信照明システム。
【請求項７】
前記受信装置は携帯可能であること、
を特徴とする請求項５または６に記載の可視光通信照明システム。
【請求項８】
前記受信装置は受信した情報を文字、音声、画像のうち少なくとも１つで再生する機能を有すること、
を特徴とする請求項５から７のいずれか１つに記載の可視光通信照明システム。
【発明の詳細な説明】
【技術分野】
【０００１】
本発明は、発信する可視光情報の内容の変更が短時間で容易に行えると共に、変更に要するコストを削減することができる可視光通信表示システムおよび可視光通信照明システムに関するものである。
【背景技術】
【０００２】
様々な人々の誘導を行うための単純で統一され且つ視認性の高いサイン（例えば図形や文字、記号など）が、空港や駅、大規模施設内などにおいて利用されるようになり、かつ国際的に普及しつつある。現在様々な場所で表示されているサインとして、例えば、交通エコロジー・モビリティ財団が提供する標準案内用図記号ガイドライン（例えば非特許文献１参照）で規定されているサインがある。
【０００３】
さらに、サインが伝える単純で統一された情報だけでなく、サインに他の情報を付加することにより、当該サインに関連する詳細な情報を人々に発信することが検討されている。サインに他の情報を付加する方法として、例えば、詳細な情報を記したポスターをサイン表示板付近に掲示したり、詳細な情報を音声で放送したりする方法があった。ところが、ポスターをサイン表示板付近に掲示する場合には、サインのもつ視認性の良さや単純性、統一性を損なう虞があり、また音声で放送する場合には、それを何度も繰り返す必要があるため騒々しくなる虞があった。
【０００４】
一方、サインを表示するシステムとして、人間の目に見える光である可視光を使って情報通信を行う可視光通信を利用して、サインのもつ視認性の良さや単純性、統一性を損なわずにサインに他の情報（例えば多くの文字を含む情報（例えば時刻表）や視覚障害者のための音声情報など）を付加するシステムがある（例えば非特許文献２（特に図４）参照）。具体的には、可視光通信で発信させる可視光情報を、サインを表示する表示装置に予め記憶させることで、表示装置は可視光でサインを表示すると共に予め記憶された可視光情報を発信し、専用の受信装置で可視光情報を受信して出力するシステムが提供されている。これにより、サインのもつ視認性の良さや単純性、統一性を損なう虞や、騒々しくなる虞を解決することができた。
【０００５】
また、可視光通信を利用した関連技術として、例えば特許文献１や特許文献２、特許文献３などがある。特許文献１は、光信号を伝搬させることにより離れた地点間で通信を行う光空間通信装置に関するものである。また、特許文献２は、読取対象のカードに可視光と非可視光を照射しカードの表面で反射する反射光を検出してカードから情報を読み取る身分証明書確認システムに関するものである。また、特許文献３は、１つの送信装置を用いて複数の受信装置のうちの１つに対して可視光でデータを送信して遠隔的に操作を行う遠隔データ通信システム等に関するものである。
【０００６】
【非特許文献１】Ｐｕｂｌｉｃ  Ｉｎｆｏｒｍａｔｉｏｎ  Ｓｙｍｂｏｌｓ  Ｇｕｉｄｅｌｉｎｅのホームページ「ｈｔｔｐ：／／ｗｗｗ．ｅｃｏｍｏ．ｏｒ．ｊｐ／ｓｙｍｂｏｌｓ＿ｅｎｇｌｉｓｈ／ｓｙｍｂｏｌ＿ｉｎｄｅｘ２．ｈｔｍｌ」
【非特許文献２】中川正雄，  特集  ＬＥＤと注目の応用  可視光通信，  ＯＰＴＲＯＮＩＣＳ，  ２００３，  Ｎｏ．９，  ｐ．１２０−１２５
【特許文献１】特開平０７−２２１７１０号公報
【特許文献２】特開２００２−０５６４３９号公報
【特許文献３】特開２００３−１６３６３３号公報
【発明の開示】
【発明が解決しようとする課題】
【０００７】
しかしながら、従来の技術では、可視光情報を表示装置に予め記憶させているので、表示装置で発信する可視光情報の内容を変更する場合には表示装置の設置場所で個別に可視光情報の内容の再設定を行う必要があるため、人手や時間がかかることでコストが増大するという問題点があった。特に、複数の表示装置を設置する空港や駅、大規模施設などにおいては、再設定にかかるコストが膨大となるという問題点があった。
【０００８】
本発明は上記問題点に鑑みてなされたものであり、発信する可視光情報の内容の変更が短時間で容易に行えると共に、変更に要するコストを削減することができる可視光通信表示システムおよび可視光通信照明システムを提供することを目的とする。
【課題を解決するための手段】
【０００９】
上記目的を達成するために、本発明にかかる請求項１に記載の可視光通信表示システムは、光源が発する可視光で図形を表示すると共に可視光通信で情報を発信する表示装置と、前記表示装置で発信した前記情報を受信して出力する受信装置とを有した可視光通信表示システムにおいて、所定の識別情報および可視光通信で発信するための可視光情報を前記表示装置に送信する送信装置をさらに備え、前記表示装置は、前記送信装置で送信された前記所定の識別情報および前記可視光情報を受信する受信手段と、前記受信手段で受信した前記所定の識別情報と予め定めた当該表示装置の識別情報とが一致するか否かを判定する判定手段と、前記判定手段の判定結果が一致である場合、前記光源を変調して前記可視光情報を発信する変調手段と、を備えたことを特徴とする。
【００１０】
このような特徴を有する本システムにおいて、送信装置は、所定の識別情報および可視光通信で発信するための可視光情報を表示装置に送信し、表示装置は、送信装置で送信された所定の識別情報および可視光情報を受信し、受信した所定の識別情報と予め定めた当該表示装置の識別情報とが一致するか否かを判定し、判定結果が一致である場合、光源を変調して可視光情報を発信する。したがって、表示装置で発信する可視光情報の内容の変更が短時間で容易に行えると共に、変更に要するコストを削減することができる。特に、複数の表示装置を設置する空港や駅、大規模施設などにおいては、再設定にかかるコストを効果的に削減することができる。
【００１１】
また、本発明にかかる請求項２に記載の可視光通信表示システムは、請求項１に記載の可視光通信表示システムにおいて、前記送信装置は前記表示装置で表示する図形に関する図形情報をさらに送信し、前記受信手段は前記図形情報をさらに受信することを特徴とし、前記表示装置は、前記判定手段の判定結果が一致である場合、前記図形情報に対応する図形に切り替える切替手段をさらに備えたことを特徴とする。
【００１２】
このような特徴を有する本システムにおいて、送信装置は、表示装置で表示する図形に関する図形情報をさらに送信し、受信手段は、表示する図形に関する図形情報をさらに受信し、表示装置は、判定結果が一致である場合、図形情報に対応する図形に切り替えるので、表示装置で発信する可視光情報を変更する際に、表示する図形も同時に変更することができる。これにより、発信する可視光情報に対応する図形を表示装置に確実に表示させることができる。
【００１３】
また、本発明にかかる請求項３に記載の可視光通信表示システムは、請求項１または２に記載の可視光通信表示システムにおいて、前記受信装置は携帯可能であることを特徴とする。
【００１４】
このような特徴を有する本システムにおいて、受信装置は携帯可能であるので、様々な場所に設置されている表示装置から発信される可視光情報を１つの受信装置で受信し出力することができる。
【００１５】
また、本発明にかかる請求項４に記載の可視光通信表示システムは、請求項１から３のいずれか１つに記載の可視光通信表示システムにおいて、前記受信装置は受信した情報を文字、音声、画像のうち少なくとも１つで再生する機能を有することを特徴とする。
【００１６】
このような特徴を有する本システムにおいて、受信装置は受信した情報を文字、音声、画像（静止画像や動画像などを含む）のうち少なくとも１つで再生するので、再生される文字や音声、画像（静止画像や動画像などを含む）などを通じて利用者は表示された図形の説明を視聴することができる。
【００１７】
また、本発明は可視光通信照明システムに関するものであり、本発明にかかる請求項５に記載の可視光通信照明システムは、光源が発する可視光で照明を行うと共に可視光通信で情報を発信する照明装置と、前記照明装置で発信した前記情報を受信して出力する受信装置とを有した可視光通信照明システムであって、所定の識別情報および可視光通信で発信するための可視光情報を前記照明装置に送信する送信装置をさらに備え、前記照明装置は、前記送信装置で送信された前記所定の識別情報および前記可視光情報を受信する受信手段と、前記受信手段で受信した前記所定の識別情報と予め定めた当該照明装置の識別情報とが一致するか否かを判定する判定手段と、前記判定手段の判定結果が一致である場合、前記光源を変調して前記可視光情報を発信する変調手段と、を備えたことを特徴とする。
【００１８】
このような特徴を有する本システムにおいて、送信装置は、所定の識別情報および可視光通信で発信するための可視光情報を照明装置に送信し、照明装置は、送信装置で送信された所定の識別情報および可視光情報を受信し、受信した所定の識別情報と予め定めた当該照明装置の識別情報とが一致するか否かを判定し、判定結果が一致である場合、光源を変調して可視光情報を発信する。したがって、照明装置で発信する可視光情報の内容の変更が短時間で容易に行えると共に、変更に要するコストを削減することができる。特に、複数の照明装置を設置する空港や駅、大規模施設などにおいては、再設定にかかるコストを効果的に削減することができる。
【００１９】
また、本発明にかかる請求項６に記載の可視光通信照明システムは、請求項５に記載の可視光通信照明システムにおいて、前記照明装置は所定の相関色温度または色温度の前記光源を有することを特徴とする。
【００２０】
このような特徴を有する本システムにおいて、照明装置は所定の相関色温度または色温度の光源を有するので、可視光通信の通信範囲を利用者に視認させることができる。
【００２１】
また、本発明にかかる請求項７に記載の可視光通信照明システムは、請求項５または６に記載の可視光通信照明システムにおいて、前記受信装置は携帯可能であることを特徴とする。
【００２２】
このような特徴を有する本システムにおいて、受信装置は携帯可能であるので、様々な場所に設置されている照明装置から発信される可視光情報を１つの受信装置で受信し出力することができる。
【００２３】
また、本発明にかかる請求項８に記載の可視光通信照明システムは、請求項５から７のいずれか１つに記載の可視光通信照明システムにおいて、前記受信装置は受信した情報を文字、音声、画像のうち少なくとも１つで再生する機能を有することを特徴とする。
【００２４】
このような特徴を有する本システムにおいて、受信装置は受信した情報を文字、音声、画像（静止画像や動画像などを含む）のうち少なくとも１つで再生するので、再生される文字や音声、画像（静止画像や動画像などを含む）などを通じて利用者は可視光情報の内容を視聴することができる。
【発明の効果】
【００２５】
本発明によれば、送信装置は、所定の識別情報および可視光通信で発信するための可視光情報を表示装置に送信し、表示装置は、送信装置で送信された所定の識別情報および可視光情報を受信し、受信した所定の識別情報と予め定めた当該表示装置の識別情報とが一致するか否かを判定し、判定結果が一致である場合、光源を変調して可視光情報を発信する。したがって、表示装置で発信する可視光情報の内容の変更が短時間で容易に行えると共に、変更に要するコストを削減することができる。特に、複数の表示装置を設置する空港や駅、大規模施設などにおいては、再設定にかかるコストを効果的に削減することができる。
【００２６】
また、本発明によれば、送信装置は、表示装置で表示する図形に関する図形情報をさらに送信し、受信手段は、表示する図形に関する図形情報をさらに受信し、表示装置は、判定結果が一致である場合、図形情報に対応する図形に切り替えるので、表示装置で発信する可視光情報を変更する際に、表示する図形も同時に変更することができる。これにより、発信する可視光情報に対応する図形を表示装置に確実に表示させることができる。
【００２７】
また、本発明によれば、送信装置は、所定の識別情報および可視光通信で発信するための可視光情報を照明装置に送信し、照明装置は、送信装置で送信された所定の識別情報および可視光情報を受信し、受信した所定の識別情報と予め定めた当該照明装置の識別情報とが一致するか否かを判定し、判定結果が一致である場合、光源を変調して可視光情報を発信する。したがって、照明装置で発信する可視光情報の内容の変更が短時間で容易に行えると共に、変更に要するコストを削減することができる。特に、複数の照明装置を設置する空港や駅、大規模施設などにおいては、再設定にかかるコストを効果的に削減することができる。
【００２８】
また、本発明によれば、照明装置は所定の相関色温度または色温度の光源を有するので、可視光通信の通信範囲を利用者に視認させることができる。
【００２９】
また、本発明によれば、受信装置は携帯可能であるので、様々な場所に設置されている表示装置から発信される可視光情報を１つの受信装置で受信し出力することができる。
【００３０】
また、本発明によれば、受信装置は受信した情報を文字、音声、画像のうち少なくとも１つで再生するので、再生される文字や音声、画像（静止画像や動画像などを含む）などを通じて利用者は表示された図形の説明を視聴することができる。
【発明を実施するための最良の形態】
【００３１】
以下に、本発明にかかる可視光通信表示システムの実施例１および実施例２ならびに可視光通信照明システムの実施例３を図面に基づいて詳細に説明する。なお、この実施例１、実施例２および実施例３によりこの発明が限定されるものではない。
【実施例１】
【００３２】
まず、本実施例１の可視光通信表示システム１の構成について、図１を参照して説明する。
【００３３】
図１は、本実施例１の可視光通信表示システム１の構成を示す図である。本実施例１の可視光通信表示システム１は、光源が発する可視光で図形を表示すると共に可視光通信で情報を発信する表示装置２と、表示装置２で発信した情報を受信して出力する受信装置３と、所定の識別情報および可視光通信で発信するための可視光情報を表示装置２に送信する送信装置４と、で構成される。なお、本実施例１の可視光通信表示システム１は、４台の表示装置と３台の受信装置と１台の送信装置とで構成された場合の一例であるが、これに限定されるものではなく、具体的には表示装置や受信装置、送信装置をそれぞれ少なくとも１台備えて構成されていればよい。また、図１では、表示装置と送信装置とを有線で通信可能に接続した場合の一例を示しているが、これに限定されるものではなく、表示装置と送信装置とを無線で通信可能に接続してもよい。
【００３４】
また、表示装置２は、送信装置４で送信された所定の識別情報（送信相手の表示装置のＩＤ）および可視光情報（送信相手の表示装置で発信させる情報）を受信する受信部２ａと、受信部２ａで受信した所定の識別情報と予め定めた当該表示装置２の識別情報（当該表示装置固有のＩＤ）とが一致するか否かを判定する判定部２ｂと、判定部２ｂの判定結果が一致である場合、光源である複数のＬＥＤを変調して可視光情報を発信する変調部２ｃと、文字もしくは記号またはそれらの組み合わせからなる図形や色彩や点滅調光パターン（以下では、単に図形と記す場合がある）を表示する、複数のＬＥＤで構成された図形表示領域２ｄと、可視光情報や識別情報、表示する図形に関する図形情報（表示する図形や色彩や点滅調光パターンに関する情報）などを記憶する記憶部（図示せず）と、で構成される。なお、図形表示領域２ｄには、図２に示すように、複数のＬＥＤが図示の如く格子状に配置されている。また、図２では、表示装置２の記憶部に予め記憶された図形情報に基づいて、アルファベット「Ａ」を表示しているが、図形表示領域２ｄに表示する図形は変更可能である。例えば、表示装置２は、記憶部に複数の図形情報を予め記憶させておいて、その中から予め定めた順序やタイミングで図形情報を取り出して図形表示領域２ｄに表示することが可能である。また、表示装置２は、送信装置４から識別情報と可視光情報を受信部２ａで受信し、判定部２ｂの判定結果が一致である場合、受信した可視光情報を記憶部に記憶してもよい。また、表示装置２は、予め設定された発信プログラム（ある決まったタイミングで可視光情報を発信させるための発信プログラム）に基づき、記憶部に記憶されている可視光情報を発信してもよい。具体的には、表示装置２は、所定の時間間隔や所定の時刻で可視光情報を発信させるように変調部２ｃを制御する発信プログラムに基づいて変調部２ｃを制御することにより、複数のＬＥＤを変調して記憶部に記憶されている可視光情報を発信してもよい。
【００３５】
図１に戻り、受信装置３は、表示装置２で発信した可視光情報を受信し、受信した可視光情報を文字や音声、画像（静止画像や動画像などを含む）などで再生する携帯端末であり、再生機能で再生した文字を表示するための文字表示領域３ａおよび／または再生機能で再生した音声を聴くためのヘッドフォン３ｂと、可視光を受光する受光部３ｃとを備えている。なお、文字表示領域３ａには、文字や画像（静止画像や動画像などを含む）だけでなく図形も表示可能である。これにより、利用者は、受信装置３の文字表示領域３ａに表示された文字や図形や画像、受信装置３のヘッドフォン３ｂを介して再生された音声を視聴することができる。
【００３６】
また、送信装置４は、所定の識別情報（送信相手の表示装置のＩＤ）および可視光情報（送信相手の表示装置で発信させる情報）を表示装置２に送信する。具体的には、送信装置４は、図３に示すように、識別情報ＭＡ−１と可視光情報ＭＡ−２とを相互に関連付けて格納したファイルを表示装置２に送信する。識別情報には、表示装置を識別するための情報を用いることができる。具体的には、表示装置のＩＤや表示装置の名称、表示装置を設置する場所の名称などを用いることができる。また、可視光情報には、文字や図形、画像（静止画像や動画像などを含む）、音声で発信させるための情報を用いることができる。具体的には、表示する図形がタクシー乗り場を表す表示装置であれば、「ただ今交通渋滞のため、タクシーの到着が遅れております。別の乗り場をご利用下さい。」や別の乗り場を案内するための案内図などを用いることができる。また、送信装置４は、複数の可視光情報を送信することができる。具体的には、識別情報と可視光情報との組を可視光情報の数だけ格納したファイルを送信することができる。これにより、表示装置２から、文字や図形、画像（静止画像や動画像などを含む）、音声の可視光情報を同時に発信させることができる。具体的には、上述したタクシー乗り場の場合であれば、「ただ今交通渋滞のため、タクシーの到着が遅れております。別の乗り場をご利用下さい。」という音声で出力される可視光情報と、別の乗り場を案内するための案内図という図形で出力される可視光情報とを同時に送信すれば、それを表示装置２で同時に発信させることができる。
【００３７】
以上の構成において、本実施例１における表示装置２で行われる処理を、図４を参照して説明する。図４は、本実施例１における表示装置２の処理を示すフローチャートである。
【００３８】
送信装置４が所定の識別情報および可視光情報を表示装置２に送信すると、表示装置２は以下の処理を実行する。
【００３９】
まず、受信部２ａで、送信装置４で送信された所定の識別情報および可視光情報を受信する（ステップＳＡ−１）。ついで、判定部２ｂで、ステップＳＡ−１で受信した所定の識別情報と予め記憶部に格納した当該表示装置の識別情報とが一致するか否かを判定する（ステップＳＡ−２）。ついで、ステップＳＡ−２の判定結果が一致である場合（ステップＳＡ−３：Ｙｅｓ）、変調部２ｃで、図形表示領域２ｄの複数のＬＥＤを変調してステップＳＡ−１で受信した可視光情報を発信する（ステップＳＡ−４）。なお、ステップＳＡ−２の判定結果が一致である場合（ステップＳＡ−３：Ｙｅｓ）、ステップＳＡ−１で受信した可視光情報を記憶部の所定の記憶領域に記憶し、変調部２ｃで、図形表示領域２ｄの複数のＬＥＤを変調して記憶部に記憶されている可視光情報を発信してもよい。これにより、送信装置４は、表示装置２で発信する可視光情報の内容を変更する時のみ、可視光情報を表示装置２に送信すればよいので、送信装置４からの可視光情報の送信頻度を多くならないようにすることができる。換言すると、表示装置２は、送信装置４から可視光情報を一度受信して記憶部に記憶しておけば、それ以降は記憶部に記憶されている可視光情報を発信することができるので、送信装置４からの可視光情報の送信頻度を必要最低限に抑えることができる。
【００４０】
そして、受信装置３は、受光部３ｃを介してステップＳＡ−４で発信した可視光情報を受信して、可視光情報を文字表示領域３ａに文字や画像（静止画像や動画像などを含む）などで表示し、ヘッドフォン３ｂを介して音声で再生する。受信装置３を携帯する利用者は、図形表示領域２ｄに表示された図形を視認すると共に、文字表示領域３ａに表示された文字や画像（静止画像や動画像などを含む）、ヘッドフォン３ｂからの音声を視聴する。
【００４１】
以上説明したように、本実施例１の可視光通信表示システム１において、送信装置４は、所定の識別情報および可視光通信で発信するための可視光情報を表示装置２に送信し、表示装置２は、送信装置４から送信された所定の識別情報および可視光情報を受信部２ａで受信し、受信した所定の識別情報と予め定めた当該表示装置の識別情報とが一致するか否かを判定部２ｂで判定し、判定部２ｂの判定結果が一致である場合、変調部２ｃで光源を変調して可視光情報を発信する。具体的には、本実施例１の可視光通信表示システム１は、送信装置４をさらに備えることで、送信相手の表示装置２に関する識別情報および可視光情報を相互に関連付けた上述の図３に記載のファイルを表示装置２に対して送信し、表示装置２は、受信したファイルに含まれる識別情報と当該表示装置の識別情報とが一致するか否かを判定し、一致であると判定された識別情報と関連付けられた可視光情報をファイルから取得して、取得した可視光情報を複数のＬＥＤを変調して発信する。
【００４２】
したがって、表示装置２で発信する可視光情報の内容を変更する場合、送信するファイルの可視光情報を単に書き換えるだけで、表示装置２で発信する可視光情報の内容を変更することができるので、表示装置２で発信する可視光情報の内容の変更が短時間で容易に行えると共に、変更に要するコストを削減することができる。特に、複数の表示装置２を設置する空港や駅、大規模施設などにおいては、送信装置４を利用して一度に複数の表示装置２の可視光情報を変更することができるので、可視光情報の再設定にかかるコストを効果的に削減することができる。また、表示装置２は、受信した識別情報が当該表示装置の識別情報であるか否かを判定部２ｂで判定してから当該表示装置宛ての可視光情報を取得して発信するので、可視光情報を適切な表示装置２が確実に取得して発信することができる。
【００４３】
また、図５に示すように、送信装置４を建物の各施設を統括的に監視する中央監視室に設置し、複数の表示装置（表示装置２−１はタクシー乗り場を、表示装置２−２は上りのエスカレータを、表示装置２−３は公衆電話を、表示装置２−４はトイレを表す）をそれぞれ図示の如く建物の各施設に設置した場合、送信装置４は複数の識別情報および可視光情報を格納したファイル（図３参照）を各表示装置に向けて送信し、各表示装置は、送信装置４から送信されたファイルを受信部２ａで受信し、受信したファイルに含まれる識別情報ごとに当該表示装置の識別情報と一致するか否かを判定部２ｂで判定し、判定部２ｂの判定結果が一致である場合、変調部２ｃで、一致である識別情報と関連付けられた可視光情報をファイルから取得し、光源を変調してそれを発信する。表示装置２−１は、例えば、「タクシーは１０分間隔で運行しています。」や「ただ今交通渋滞のため、タクシーの到着が遅れております。」などの付加情報を発信する。また、表示装置２−２は、例えば、「こちらは上りのエスカレータです。」や「施設案内所へ行かれる方は、こちらのエスカレータをご利用下さい。」、行った先のフロアの地図情報などの付加情報を発信する。また、表示装置２−３は、例えば、「ただ今故障中です。」や建物内にある他の公衆電話の配置図などの付加情報を発信する。また、表示装置２−４は、例えば、「女性トイレはただ今清掃中です。２階にある女性トイレをご利用下さい。」や建物内にある他のトイレの配置図などの付加情報を発信する。
【００４４】
このように、複数の表示装置が設置された場合でも、所望の可視光情報を適切な表示装置で確実に発信させることができる。換言すると、各表示装置は当該表示装置宛ての可視光情報を送信装置４から確実に受信して発信することができる。また、各表示装置で発信する可視光情報を変更する場合でも、すべての表示装置の可視光情報を同時に変更することができるので、設定変更に要する時間や費用を効果的に削減することができる。
【００４５】
また、本実施例１の可視光通信表示システム１において、受信装置３は、携帯可能であるので、様々な場所に設置されている複数の表示装置から発信される可視光情報を１つの受信装置で受信し出力することができる。また、受信装置３は、受信した情報を文字、音声、画像のうち少なくとも１つで再生する機能を有するので、再生される文字や音声、画像（静止画像や動画像などを含む）などを通じて利用者は表示された図形の説明を視聴することができる。また、利用者は、各自が理解しやすい情報の形式を受信装置３で指定すれば、可視光情報を指定した形式で視聴することができる。すなわち、本実施例１の可視光通信表示システム１は、いつでも様々な属性の人々（例えば視覚障害者や聴覚障害者、様々な言語圏の人々など）に対してきめ細かい情報提供を行うことができる。
【実施例２】
【００４６】
つぎに、本実施例２の可視光通信表示システム１の構成について、図６を参照して説明する。なお、本実施例２の可視光通信表示システム１に関する説明では、上述した本実施例１の可視光通信表示システム１と重複する構成要素の説明を省略する。
【００４７】
図６は、本実施例２の可視光通信表示システム１の構成を示す図である。本実施例２の可視光通信表示システム１において、送信装置４は、所定の識別情報、可視光情報および図形情報を表示装置２に送信する。具体的には、送信装置４は、図７に示すように、識別情報ＭＡ−１と可視光情報ＭＡ−２と図形情報ＭＡ−３とを相互に関連付けて格納したファイルを表示装置２に送信する。なお、図形情報とは、図６に示すように、図形表示領域２ｄに表示する図形（図６では「Ｅ」という文字）を表示するための情報である。
【００４８】
また、表示装置２は、受信部２ａで送信装置４から送信された所定の識別情報、可視光情報および図形情報を受信する。表示装置２は、判定部２ｂの判定結果が一致である場合、図形表示領域２ｄに表示された図形を、受信した図形情報に対応する図形に切り替える切替部２ｅをさらに備える。なお、図形表示領域２ｄに表示されている図形の図形情報を取得する取得部と、取得部で取得した図形情報と受信部２ａで受信した図形情報とが一致するか否かを判定する図形判定部と、をさらに備えてもよい。ここで、本実施例２の可視光通信表示システム１において、送信装置４で、表示装置２へ送信する図形情報をＲＧＢ階調パターン信号と画像信号や動画信号などとに分解して、これらの信号を表示装置２に送信してもよい。また、送信装置４からは例えば表示する図形である「Ａ」を表示装置２へ送信し、表示装置２で「Ａ」を表示する為の信号に分解してもよい。すなわち、図形情報を信号に分解する処理は、送信装置４で行ってもよく、また表示装置２で行ってもよい。
【００４９】
以上の構成において、本実施例２における表示装置２で行われる処理を、図８を参照して説明する。図８は、本実施例２における表示装置２の処理を示すフローチャートである。
【００５０】
送信装置４が所定の識別情報、可視光情報および図形情報を表示装置２に送信すると、表示装置２は以下の処理を実行する。
【００５１】
まず、受信部２ａで、送信装置４で送信された所定の識別情報、可視光情報および図形情報を受信する（ステップＳＢ−１）。ついで、判定部２ｂで、ステップＳＢ−１で受信した所定の識別情報と予め記憶部に格納した当該表示装置の識別情報とが一致するか否かを判定する（ステップＳＢ−２）。ここで、取得部で、現時点で図形表示領域２ｄに表示されている図形の図形情報を取得し、図形判定部で、取得した図形情報とステップＳＢ−１で受信した図形情報とが一致するか否かをさらに判定してもよい。ついで、ステップＳＢ−２の判定結果が一致である場合（ステップＳＢ−３：Ｙｅｓ）、変調部２ｃで、図形表示領域２ｄの複数のＬＥＤを変調してステップＳＢ−１で受信した可視光情報を発信する（ステップＳＢ−４）と共に、切替部２ｅで、図形表示領域２ｄに表示されている図形をステップＳＢ−１で受信した図形情報に対応する図形に切り替える（ステップＳＢ−５）。なお、ステップＳＢ−２の判定結果が一致であり、さらに図形判定部の判定結果が不一致である場合は、変調部２ｃで、図形表示領域２ｄの複数のＬＥＤを変調してステップＳＢ−１で受信した可視光情報を発信すると共に、切替部２ｅで、図形表示領域２ｄに表示されている図形をステップＳＢ−１で受信した図形情報に対応する図形に切り替えてもよい。
【００５２】
そして、受信装置３は、受光部３ｃを介してステップＳＢ−４で発信した可視光情報を受信して、可視光情報を文字表示領域３ａに文字や画像（静止画像や動画像などを含む）で表示し、ヘッドフォン３ｂを介して音声で再生する。受信装置３を携帯する利用者は、図形表示領域２ｄに表示された、切り替えられた図形を視認すると共に、文字表示領域３ａに表示された文字や画像（静止画像や動画像などを含む）、ヘッドフォン３ｂからの音声を視聴する。
【００５３】
以上説明したように、本実施例２の可視光通信表示システム１において、送信装置４は、表示装置２で表示する図形に関する図形情報をさらに送信し、表示装置２は、受信部２ａで図形情報をさらに受信し、判定部２ｂの判定結果が一致するである場合、切替部２ｅで図形表示領域２ｄに表示されている図形を受信した図形情報に対応する図形に切り替える。具体的には、本実施例２の可視光通信表示システム１において、送信装置４は、送信相手の表示装置２に関する識別情報、可視光情報および図形情報を相互に関連付けた上述の図７に記載のファイルを表示装置２に対して送信し、表示装置２は、受信したファイルに含まれる識別情報と当該表示装置の識別情報とが一致するか否かを判定し、一致であると判定された識別情報と関連付けられた可視光情報および図形情報をファイルから取得して、取得した可視光情報を複数のＬＥＤを変調して発信すると共に、取得した図形情報に対応する図形を図形表示領域２ｄに表示する。
【００５４】
したがって、表示装置２で発信する可視光情報の内容を変更することができるだけでなく、さらに、表示する図形も変更することができる。これにより、表示する図形の変更に要する時間や費用などを削減することができる。特に、複数の表示装置２を設置する空港や駅、大規模施設などにおいては、送信装置４を利用して、一度に複数の表示装置２の可視光情報および図形情報を変更することができるので、可視光情報や表示する図形の再設定にかかるコストを効果的に削減することができる。また、受信装置２は、受信した識別情報が当該表示装置の識別情報であるか否かを判定部２ｂで判定してから当該表示装置宛ての可視光情報および図形情報を取得して、それを発信したり表示したりするので、可視光情報を適切な表示装置２が確実に取得して発信し、図形情報を適切な表示装置２が確実に取得して表示することができる。これにより、発信する可視光情報に対応する図形を表示装置２に確実に表示させることができる。つまり、発信する可視光情報と表示する図形とを確実に一致させることができる。
【実施例３】
【００５５】
つぎに、本実施例３の可視光通信照明システム５の構成について、図９を参照して説明する。なお、本実施例３の可視光通信照明システム５に関する説明では、上述した本実施例１および本実施例２の可視光通信表示システム１と重複する説明を省略する場合がある。
【００５６】
図９は、本実施例３の可視光通信照明システム５の構成を示す図である。本実施例３の可視光通信照明システム５は、光源６ｄが発する可視光で照明を行うと共に可視光通信で情報を発信する照明装置６と、照明装置６で発信した情報を受信して出力する受信装置７と、所定の識別情報および可視光通信で発信するための可視光情報を照明装置６に送信する送信装置８と、で構成される。
【００５７】
また、照明装置６は、送信装置８で送信された所定の識別情報（送信相手の照明装置のＩＤ）および可視光情報（送信相手の照明装置で発信させる情報）を受信する受信部６ａと、受信部６ａで受信した所定の識別情報と予め定めた当該照明装置６の識別情報（当該照明装置固有のＩＤ）とが一致するか否かを判定する判定部６ｂと、判定部６ｂの判定結果が一致である場合、光源６ｄを変調して可視光情報を発信する変調部６ｃと、可視光情報や識別情報などを記憶する記憶部（図示せず）と、で構成される。なお、光源６ｄは所定の相関色温度または色温度のものである。これにより、図示の如く、可視光通信の通信範囲を利用者に視認させることができる。
【００５８】
以上の構成において、本実施例３における照明装置６で行われる処理を、図１０を参照して説明する。図１０は、本実施例３における照明装置６の処理を示すフローチャートである。なお、照明装置６は、予め所定の相関色温度または色温度の光源６ｄを備えている。具体的には、光源６ｄは、情報送信エリアの相関色温度とその他のエリアの相関色温度とが異なるように選択されている。また、当該光源６ｄを備えた照明装置６は、所望の位置に配置されている。
【００５９】
送信装置８が所定の識別情報および可視光情報を照明装置６に送信すると、照明装置６は以下の処理を実行する。
【００６０】
まず、受信部６ａで、送信装置８で送信された所定の識別情報および可視光情報を受信する（ステップＳＣ−１）。ついで、判定部６ｂで、ステップＳＣ−１で受信した所定の識別情報と予め記憶部に格納した当該照明装置の識別情報とが一致するか否かを判定する（ステップＳＣ−２）。ついで、ステップＳＣ−２の判定結果が一致である場合（ステップＳＣ−３：Ｙｅｓ）、変調部６ｃで、光源６ｄを変調してステップＳＣ−１で受信した可視光情報を発信する（ステップＳＣ−４）。
【００６１】
以上説明したように、本実施例３の可視光通信照明システム５において、送信装置８は、所定の識別情報および可視光通信で発信するための可視光情報を照明装置６に送信し、照明装置６は、送信装置８から送信された所定の識別情報および可視光情報を受信部６ａで受信し、受信した所定の識別情報と予め定めた当該照明装置の識別情報とが一致するか否かを判定部６ｂで判定し、判定部６ｂの判定結果が一致である場合、変調部６ｃで光源６ｄを変調して可視光情報を発信する。具体的には、送信装置８は、送信相手の照明装置６に関する識別情報および可視光情報を相互に関連付けた上述の図３に記載のファイルを照明装置６に対して送信し、照明装置６は、受信したファイルに含まれる識別情報と当該照明装置の識別情報とが一致するか否かを判定し、一致であると判定された識別情報と関連付けられた可視光情報をファイルから取得して、取得した可視光情報を光源６ｄを変調して発信する。
【００６２】
したがって、照明装置６で発信する可視光情報の内容を変更する場合、送信するファイルの可視光情報を単に書き換えるだけで、照明装置６で発信する可視光情報の内容を変更することができるので、照明装置６で発信する可視光情報の内容の変更が短時間で容易に行えると共に、変更に要するコストを削減することができる。特に、複数の照明装置６を設置する空港や駅、大規模施設などにおいては、送信装置８を利用して一度に複数の照明装置６の可視光情報を変更することができるので、可視光情報の再設定にかかるコストを効果的に削減することができる。また、照明装置６は、受信した識別情報が当該照明装置の識別情報であるか否かを判定部６ｂで判定してから当該照明装置宛ての可視光情報を取得して発信するので、可視光情報を適切な照明装置６が確実に取得して発信することができる。
【００６３】
また、照明装置６は所定の相関色温度または色温度の光源６ｄを有するので、可視光通信の通信範囲を利用者に視認させることができる。その結果、照明装置６と一般の照明装置とが混在する建物内において、一般の照明装置の色温度と異なる色温度の照明装置６を設置することで、可視光通信範囲（可視光通信エリア）を利用者に見分けさせることができる。具体的には、図１１および図１２に示すように、例えば色温度が３０００［Ｋ］の一般照明器具と色温度が５０００［Ｋ］の可視光通信機能付照明器具（照明装置６に対応）とを同じ建物内の同じ部屋に設置すれば、可視光通信エリアと一般照明エリアとを視認可能に区別することができ、利用者に対して可視光通信エリアを容易かつ確実に知らせることができる。なお、可視光通信エリアは１つの空間内に１箇所とは限らない。
【００６４】
ここで、相関色温度および色温度とは、光源の光色（例えば「青っぽい」、「赤っぽい」など）を表す尺度である。色温度は、試料光源の色度と基準となる黒体（完全放射体）の色度とが等しい場合に適用される尺度であり、黒体の絶対温度（Ｋ（ケルビン））で表示する。また、相関色温度は、試料光源の色度が黒体軌跡（完全放射体軌跡）上にない場合に適用される尺度である。蛍光ランプなどの一般照明用光源ではその色度が黒体軌跡から外れていることが多いことから、これらのランプの光色の尺度としては色温度ではなく相関色温度で表現される。
【００６５】
従来、公共的な大規模建物空間の中では、利用者に向けて様々な案内情報を伝えるために、看板やポスターが設置されていた。また、国際都市においては、利用者によって使用言語が様々であり、受け取りたい情報もまちまちである。そこで、例えばサインポストと呼ばれるような情報発信装置（例えば日本電気株式会社（会社名）が開発した「インフォサイン（商品名）」）を必要箇所毎に設け、利用者に合わせた情報を送信することが考えられている。ところが、当該情報発信装置は、どこで情報が得られるのかを利用者に知らせることができないので、例えば目立つサイン看板を併設する必要があった。しかし、サイン看板は１点を示すのには適しているが、一定の広がりのある通信エリアを示すことは困難である。なお、通信エリアを示すために床上に例えば円形ラインなどを描くことも可能であるが、建築デザイン上、望ましくない。以上のことから、公共空間における情報発信装置は、目立たず、しかし直感的且つ確実に誰に対しても通信エリアを知らせることができるものである必要がある。
【００６６】
そこで、本システムを利用すれば、例えば図形や文字などのサインを表示する表示装置を設置することがデザイン性という観点からみて好ましくない場所や建物でも、色温度の違いで利用者に対し可視光情報の発信源や可視光通信エリアを知らせることができる。換言すると、本システムを利用すれば、建築デザインを乱すことなく、一定の面積の可視光通信エリアを利用者に正確に見分けさせることができる。また、本システムを利用すれば、例えば目立たない所に照明装置を設置しても可視光通信エリアを利用者に対して直感的かつ確実に知らせることができる。つまり、本システムは、目立たず、しかも直感的且つ確実に誰に対しても通信エリアを知らせることができる。
【００６７】
また、一般の空間で照明に用いられている白色光源には、色温度の低い光（２０００〜３０００［Ｋ］程度で白熱灯のような黄色っぽい光）から色温度の高い光（４０００〜６０００［Ｋ］程度で青空光のように青白い光）まで幅がある。このため、建築空間としては特に意味を持たない「白色光」で統一することができ、かつ、空間の雰囲気だけを少しだけ変えることが可能となる。また、相対的に高い色温度の光（周囲に比べて高い色温度の光）には低い色温度の光に比べて緊張効果や覚醒効果があることや、相対的に低い色温度の光（周囲に比べて低い色温度の光）には高い色温度の光に比べてリラックス効果や催眠効果があることが心理・生理実験で確認されている。そこで、本システムを利用すれば、例えば利用者に対し可視光情報の発信源や可視光通信エリアを知らせたい場合には相対的に高い色温度の光源を備えた照明装置を設置することで容易に目的を達することができる。また、本システムを利用すれば、例えばリフレッシュコーナーやリラクゼーションコーナーなどで各利用者が所有する受信装置に対し音楽や画像（静止画像や動画像などを含む）などを提供したい場合には相対的に低い色温度の光源を備えた照明装置を設置することで、容易に目的を達することができる。
【００６８】
また、市販されている様々な点灯方式や色温度のランプを光源として利用することができるので、例えば既存の建物の照明器具を利用して新たに可視光通信を行う場合でも、送信装置８を設け、既存の照明器具に上述した受信部６ａと判定部６ｂと変調部６ｃとを備え付けて当該照明器具のランプを市販のランプに交換するだけで、本システムを容易に実現することができる。また、本システムによれば、照明装置６自体にサイン性を持たせていないので、建物内の既存のサイン看板のように、建物のデザインにあわせてサイン看板を毎回作り直す必要がない。これにより、本システムの大量生産が容易に実現でき、よって工業化が容易になる。また、本システムにおいて、光源が発する可視光の輝度（明るさ）を変えることで可視光通信エリアを利用者に対して知らせてもよい。また、本システムにおいて、光源が発する可視光に因る陰影で可視光通信エリアを利用者に対して知らせてもよい。
【産業上の利用可能性】
【００６９】
以上のように、本発明にかかる可視光通信表示システムおよび可視光通信照明システムは、発信する可視光情報や表示する図形を頻繁に変更する必要がある設備や施設などで好適に実施することができ、極めて有用である。具体的には、複数の表示装置や照明装置を設置する空港や駅、大規模施設などで好適に実施することができ、極めて有用である。
【図面の簡単な説明】
【００７０】
【図１】本実施例１の可視光通信表示システム１の構成を示す図である。
【図２】本実施例１における図形表示領域２ｄの構成を示す図である。
【図３】本実施例１における送信装置４で送信する情報を示す図である。
【図４】本実施例１における表示装置２の処理の一例を示すフローチャートである。
【図５】本実施例１の可視光通信表示システム１の実施態様の一例を示す図である。
【図６】本実施例２の可視光通信表示システム１の構成を示す図である。
【図７】本実施例２における送信装置４で送信する情報を示す図である。
【図８】本実施例２における表示装置２の処理の一例を示すフローチャートである。
【図９】本実施例３の可視光通信照明システム５の構成を示す図である。
【図１０】本実施例３における照明装置６の処理の一例を示すフローチャートである。
【図１１】本実施例３の可視光通信照明システム５の実施態様の一例を示す図である。
【図１２】本実施例３の可視光通信照明システム５の実施態様の一例を示す図である。
【符号の説明】
【００７１】
１  可視光通信表示システム
２  表示装置
２ａ  受信部
２ｂ  判定部
２ｃ  変調部
２ｄ  図形表示領域
２ｅ  切替部
３  受信装置
４  送信装置
５  可視光通信照明システム
６  照明装置
６ａ  受信部
６ｂ  判定部
６ｃ  変調部
７  受信装置
８  送信装置
【図１】
2006050528.tif 000003
【図２】
2006050528.tif 000004
【図３】
2006050528.tif 000005
【図４】
2006050528.tif 000006
【図５】
2006050528.tif 000007
【図６】
2006050528.tif 000008
【図７】
2006050528.tif 000009
【図８】
2006050528.tif 000010
【図９】
2006050528.tif 000011
【図１０】
2006050528.tif 000012
【図１１】
2006050528.tif 000013
【図１２】
2006050528.tif 000014